(57)【要約】【課題】脱着性の便を犠牲にすることなく、足場板などの仮設横架材を水平丸材に対して浮き上がらないように固定可能なフックを提供する。【解決手段】水平丸材に上方から引掛け可能な開口を設けた把持部と、前記開口の一部を閉塞して前記水平丸材を抱持可能な抜止部と、該抜止部と一体に設けたスライド軸と、該スライド軸を摺動回転可能に挿通支持する受け部と、該受け部と前記スライド軸の抜止部寄りに設けたバネ受けとの間に介装され、前記抜止部を閉塞方向に付勢するバネとからなり、前記スライド軸には前記バネを圧縮して前記把持部を開口させ、且つ、前記抜止部を回転した位置で前記受け部と係止可能な開口保持ピンを設けると共に、前記受け部には前記抜止部が前記開口を閉塞可能な向きにあるとき前記開口保持ピンが通過可能なスリットを設ける。【選択図】図１
2008008052.tif 000002
【特許請求の範囲】
【請求項１】
水平丸材に上方から引掛け可能な開口を設けた把持部と、前記開口の一部を閉塞して前記水平丸材を抱持可能な抜止部と、該抜止部と一体に設けたスライド軸と、該スライド軸を摺動回転可能に挿通支持する受け部と、該受け部と前記スライド軸の抜止部寄りに設けたバネ受けとの間に介装され、前記抜止部を閉塞方向に付勢するバネとからなり、前記スライド軸には前記バネを圧縮して前記把持部を開口させ、且つ、前記抜止部を回転した位置で前記受け部と係止可能な開口保持ピンを設けると共に、前記受け部には前記抜止部が前記開口を閉塞可能な向きにあるとき前記開口保持ピンが通過可能なスリットを設けたことを特徴とする仮設横架材のフック。
【請求項２】
受け部は、下向き開口の略コ字状に形成され、その前方壁をバネ受けとする一方、後方壁に前記スリットを設けた請求項１記載の仮設横架材のフック。
【請求項３】
スライド軸の後端を抜止部と同じ方向にＬ字状に折曲してツマミを一体に設けた請求項１または２記載の仮設横架材のフック。
【請求項４】
把持部の開口と抜止部は、閉塞状態において１８０度以上の円弧を形成する請求項１、２または３記載の仮設横架材のフック。
【請求項５】
仮設横架材は足場板である請求項１から４のうち何れか一項記載の仮設横架材のフック。
【発明の詳細な説明】
【技術分野】
【０００１】
この発明は、例えば足場板などの仮設横架材の端部に設けられ、該横架材を足場の水平丸材に掛け渡すときに用いるフックに関するものである。
【背景技術】
【０００２】
従来の足場板構造は、例えば、特許文献１や非特許文献１に示されるように、足場に先ず水平材を構築し、この水平材に足場板の端部に設けた把持部を引掛けることによって足場板を架設するものである。
【０００３】
なお、特許文献１に示されたものは、作業板の両端から把持部が突出した構造であるため、その突出分だけ横架材と作業板の間に隙間ができる。この隙間は作業員の歩行時に躓く原因となるばかりでなく、完全な空洞となるため工具等が落下する等の危険がある。
【０００４】
これに対して非特許文献１に示されたものは、把持部を作業板両端の凹凸加工によって構成し、且つ、両端を千鳥状としているため、横架材に掛け渡したとき隣り合う足場板の両端形状が合致して、隙間のない状態で足場板を構築することができる。
【０００５】
【特許文献１】実公平１−１８７５３号公報（第３頁、第２図）
【非特許文献１】日綜産業株式会社、“ＮＩＳＳＯ  ＣＤカタログ  ＮＩＳＳＯ（ニッソー）  シルクロード  アルミ製布付き布わく・・・つま先板脱着式・無隙間足場”、［online］、［平成１６年１月２０日検索］、インターネット＜URL：http://www.nisso-sangyo.co.jp/silkroad.html＞
【発明の開示】
【発明が解決しようとする課題】
【０００６】
ところで、足場板など、従来の仮設横架材の把持部は、単に水平材の外形に応じた開口のみによって構成されていた。このため、下から突風が吹き上げれば、仮設横架材が簡単に浮くという問題があった。また、仮設横架材が足場板である場合、経年的に反りが生じることもあり、このときもまた、足場板の両端が浮き上がり、躓きの原因となる危険性があった。
【０００７】
本発明は、上述した課題に鑑みなされたもので、その目的とするところは、脱着性の便を犠牲にすることなく、足場板などの仮設横架材を水平丸材に対して浮き上がらないように固定可能なフックを提供することである。
【課題を解決するための手段】
【０００８】
上述した目的を達成するために本発明では、水平丸材に上方から引掛け可能な開口を設けた把持部と、前記開口の一部を閉塞して水平丸材を抱持可能な抜止部と、該抜止部を先端に一体に設けたスライド軸と、該スライド軸を摺動且つ回転可能に挿通支持する受け部と、該受け部と前記スライド軸の抜止部寄りに設けたバネ受けとの間に介装され、前記抜止部を閉塞方向に付勢するバネとからなり、さらに前記スライド軸には前記バネを圧縮して前記把持部を開口させ、且つ、前記抜止部を回転した位置で前記受け部と係止可能な開口保持ピンを設けると共に、前記受け部には前記抜止部が前記開口を閉塞可能な向きにあるとき前記開口保持ピンが通過可能なスリットを設けるという手段を用いた。
【０００９】
上述した手段によれば、抜止部が閉塞姿勢にあるとき受け部のスリットを通過して、バネ付勢によって把持部の開口を一部閉塞する。一方、この状態からスライド軸をバネ付勢に抗して後退させることで、把持部の開口を水平丸材に脱着可能な状態となるが、この開口状態は、スライド軸をさらに所定角度回転することで、開口保持ピンが受け部と係止して保持される。
【００１０】
なお、受け部は、下向き開口の略コ字状に形成され、その前方壁をバネ受けとする一方、後方壁に前記スリットを設けるという手段を用いる。
【００１１】
さらに、操作性を確保するために、スライド軸の後端を抜止部と同じ方向にＬ字状に折曲してツマミを一体に設ける。この手段によって、ツマミの姿勢から抜止部の姿勢を容易に知ることができ、誤操作が防止される。
【００１２】
また、把持部の開口と抜止部は、閉塞状態において１８０度以上の連続した円弧を形成することが、水平丸材からの脱落をより確実に防止することから、好ましい。
【００１３】
なお、本発明を足場板に適用すれば、足場板の構築を簡便に行え、且つ、足場の安全をより高めることができて好ましい。
【発明の効果】
【００１４】
以上説明したように、本発明によれば、簡単な構成および簡単な操作によって仮設横架材を確実に固定することができる。また、把持部の開口状態も保持されるため、脱着も容易に行うことができる。
【発明を実施するための最良の形態】
【００１５】
以下、本発明の好ましい実施の形態を添付した図面に従って説明する。図１から図３は、本発明の一実施形態に係るフックの動作変移図である。先ず、図１において、１は下面を開口し、その開口面１ａを１８０度の円弧とした把持部であり、水平丸材Ｓとして丸パイプに適用するものである。２はスライド軸であって、下面開口のコ字状受け部３に摺動且つ回転可能に挿通されている。さらに、４はスライド軸２の先端に一体に設けられた抜止部であり、把持部１の開口面１ａと連続して１８０度以上の円弧を形成するように構成され、把持部１の開口を閉塞することによって水平丸材Ｓを抱持するものである。
【００１６】
ここで抜止部４は、スライド軸２の前方（抜止部４寄り）に突設したピン状のバネ受け２ａと、受け部３の前方壁３ａとの間に介装したコイルスプリング状のバネ５によって、常時、閉塞方向に付勢されている。
【００１７】
なお、６はスライド軸２の後端をＬ字状に折曲してなるツマミであって、スライド軸２をバネ５に抗して後退させたり、スライド軸２を所定角度回転させるものである。特に、この実施形態では、ツマミ６を抜止部４と同じ方向（図面、下向き）に折曲している。当該構成によって、ツマミ６の姿勢が垂直方向にあれば、抜止部４も水平丸材Ｓを抱持可能な姿勢にあることがわかり、誤操作を防止することができる。ただし、ツマミ６は任意に設ければよく、Ｔ字状としたり、ローレット状としたり、その形状も任意である。
【００１８】
このような構成において、本発明のさらなる特徴を説明すると、先ず受け部３の後方壁３ｂには縦方向のスリット７が形成されている。これに対して、スライド軸２には、抜止部４と同じ方向（図面、上下方向）に開口保持ピン８を突設している。ここで、開口保持ピン８はスリット７を通過可能な形状とする。
【００１９】
次に、図２・３に従って、本フックの動作を説明すると、図１の抱持状態（本固定状態）から、スライド軸２をバネ５の付勢に抗して後退させると、図２に示したように、把持部１の開口が開放され、本フックを水平丸材Ｓから外す、あるいは水平丸材Ｓに仮固定することができる。このとき、開口保持ピン８は受け部３のスリット７を通過するから、スライド軸２の上記後退を許容する。
【００２０】
続いて、図２の状態から、スライド軸２を所定角度回転（本実施形態では図面手前９０度）させることで、図３に示したように、開口保持ピン８が受け部３の後方壁３ｂと係止する。当該係止によって、バネ５を圧縮して把持部１の開口を開放した状態が保持される。つまり、この図３の状態は、本フックを水平丸材Ｓに固定するか、水平丸材Ｓから外すときの仮固定状態が保持されたところを示す。
【００２１】
一方、本フックを仮固定から本固定にするには、上記説明とは逆の順序で操作すればよいことはもちろんである。
【００２２】
なお、本フックは水平丸材Ｓに対するものであれば、どのような横架材にも適用することができるが、最も適した例としては、図４に示したように、足場板Ｆへの適用を挙げることができる。即ち、本フックを足場板Ｆに適用する場合、足場板Ｆの両端部に把持部１を設け、抜止部４を把持部１に向かって突出可能に構成する。さらに好適な例としては、把持部１を一個飛ばしで凹凸に設け、且つ、足場板Ｆの両端部で千鳥に設けることを挙げることができる。このような足場板Ｆとすることで、その架設の際、複数の足場板Ｆを突き合わせ面に隙間が生じない状態で連設でき、さらに本フックによって浮き上がりが確実に防止された状態となる。なお、本フックを足場板Ｆに適用した場合、その操作は一つ下の階から行われるため、足場板Ｆを先行して本固定でき、より安全な足場構築が可能となる。
【図面の簡単な説明】
【００２３】
【図１】本発明の一実施形態に係るフックの側面図（本固定状態）
【図２】同（スライド軸の摺動状態）
【図３】同（仮固定状態）
【図４】同フックを適用した足場板の底面図
【符号の説明】
【００２４】
１  把持部
２  スライド軸
３  受け部
４  抜止部
５  バネ
６  ツマミ
７  スリット
８  開口保持ピン
【図１】
2008008052.tif 000003
【図２】
2008008052.tif 000004
【図３】
2008008052.tif 000005
【図４】
2008008052.tif 000006